(57)【特許請求の範囲】
【請求項１】
電子カメラと、この電子カメラにおける撮影条件の設定を支援するためのサーバコンピュータとがネットワークを介して接続される電子カメラシステムであって、
前記サーバコンピュータは、
シーンを撮影した構図からなりそのシーンの撮影条件が付帯されたサンプル画像の画像データを格納する画像データ格納手段と、
前記電子カメラから前記ネットワークを介して送信されたキー情報に基づき、前記画像データ格納手段に格納されるサンプル画像の中から選択された撮影条件が付帯されたサンプル画像を前記ネットワークを介して前記電子カメラに返送する制御手段と
を具備し、
前記電子カメラは、
表示装置と、
前記サーバコンピュータとの間でデータの通信を実行する通信コントローラと、
前記キー情報を前記通信コントローラを介して前記サーバコンピュータに送信し、この送信に応答して前記サーバコンピュータから返送される前記撮影条件が付帯されたサンプル画像を取得するサンプル画像取得部と、
前記取得された前記撮影条件が付帯されたサンプル画像を複数格納するサンプル画像保持部と、
前記サンプル画像保持部に格納されたサンプル画像を前記表示装置に表示して、前記表示された前記サンプル画像の中から選択されたサンプル画像に付帯する撮影条件に基づき、撮影条件の設定を実行する撮影条件設定手段と
を具備する
ことを特徴とする電子カメラシステム。
【請求項２】
前記キー情報は、キーワード、識別番号、時刻および位置情報のいずれかであることを特徴とする請求項１記載の電子カメラシステム。
【請求項３】
シーンを撮影した構図からなりそのシーンの撮影条件が付帯されたサンプル画像の画像データを格納する画像データ格納手段を有するサーバコンピュータと、ネットワークを介して接続可能な電子カメラであって、
表示装置と、
前記サーバコンピュータとの間でデータの通信を実行する通信コントローラと、
前記キー情報を前記通信コントローラを介して前記サーバコンピュータに送信し、この送信に応答して前記サーバコンピュータから返送される前記撮影条件が付帯されたサンプル画像を取得するサンプル画像取得部と、
前記取得された前記撮影条件が付帯されたサンプル画像を複数格納するサンプル画像保持部と、
前記サンプル画像保持部に格納されたサンプル画像を前記表示装置に表示して、前記表示された前記サンプル画像の中から選択されたサンプル画像に付帯する撮影条件に基づき、撮影条件の設定を実行する撮影条件設定手段と
を具備することを特徴とする電子カメラ。
【請求項４】
シーンを撮影した構図からなりそのシーンの撮影条件が付帯されたサンプル画像の画像データを格納する画像データ格納手段を有するサーバコンピュータと、前記サーバコンピュータとデータ通信路を介して接続される携帯情報端末と、前記携帯情報端末を介して前記サーバコンピュータと接続される電子カメラであって、
前記電子カメラは、
表示装置と、
前記携帯情報端末を介して前記サーバコンピュータにキー情報を送信し、この送信に応答して前記サーバコンピュータから返送される前記撮影条件が付帯されたサンプル画像を前記携帯情報端末を介して取得するサンプル画像取得部と、
前記取得された前記撮影条件が付帯されたサンプル画像を複数格納するサンプル画像保持部と、
前記サンプル画像保持部に格納されたサンプル画像を前記表示装置に表示して、前記表示された前記サンプル画像の中から選択されたサンプル画像に付帯する撮影条件に基づき、撮影条件の設定を実行する撮影条件設定手段と
を具備することを特徴とする電子カメラ。
【請求項５】
前記キー情報は、キーワード、識別番号、時刻および位置情報のいずれかであることを特徴とする請求項３または４記載の電子カメラ。
【請求項６】
前記撮影条件設定手段は、複数のサンプル画像を一覧表示することを特徴とする請求項３または４記載の電子カメラ。
【発明の詳細な説明】
【０００１】
【発明の属する技術分野】
この発明は、たとえばキーワードなどの送信に応じて返送される撮影条件付きのサンプル画像を用いてカメラの撮影条件を簡単に設定することを可能とする電子カメラシステムおよび電子カメラに関する。
【０００２】
【従来の技術】
近年、被写体像を撮像光学系により固体撮像素子、たとえばＣＣＤ２次元イメージセンサ上に結像して電気信号に変換し、これにより得られた静止画像の画像データを半導体メモリや磁気ディスクのような記録媒体に記録する、いわゆる電子カメラが広く普及しつつある。
【０００３】
この種の電子カメラでは、撮影用の動作モードの一つとして、その時の状況に応じて撮影条件を自動的に調整する、いわゆるプログラムモードをもつものが多い。したがって、ユーザは、それ程の熟練を必要とせず、ほぼ標準的な撮影条件下で撮影を行うことが可能である。
【０００４】
【発明が解決しようとする課題】
ところで、カメラの取り扱いに精通していないユーザであっても、プログラムモードでの標準的な撮影では飽き足らずに、このような構図でこのような色合いの画像を撮影したい等といった、より具体的なイメージをもって撮影を行おうとする場合もある。しかしながら、実際にどのように撮影条件を設定すればイメージ通りの画像が撮影できるかを未熟練のユーザが把握することは、たとえば取り扱い説明書を携行していない限りは困難であり、したがって、何度か試行錯誤を繰り返さざるを得なかったり、あるいは、プログラムモードでの標準的な撮影で我慢せざるを得ないのが現状であった。
【０００５】
また、たとえば撮影条件が付帯されたサンプル画像を多数準備しておき、このサンプル画像を再生・選択させることにより、その付帯する撮影条件の設定を実行することなども考えられているが、この場合には、多数のサンプル画像を撮影時に携行していなければならず、カメラ本体に内蔵させる場合には、有限であるメモリ容量を大量に消費してしまうといった問題があった。
【０００６】
この発明はこのような事情を考慮してなされたものであり、たとえばキーワードなどの送信に応じて返送される撮影条件付きのサンプル画像を用いてカメラの撮影条件を簡単に設定することを可能とする電子カメラシステムおよび電子カメラを提供することを目的とする。
【０００７】
【課題を解決するための手段】
前述した目的を達成するために、この発明の電子カメラシステムは、電子カメラと、この電子カメラにおける撮影条件の設定を支援するためのサーバコンピュータとがネットワークを介して接続される電子カメラシステムであって、前記サーバコンピュータは、シーンを撮影した構図からなりそのシーンの撮影条件が付帯されたサンプル画像の画像データを格納する画像データ格納手段と、前記電子カメラから前記ネットワークを介して送信されたキー情報に基づき、前記画像データ格納手段に格納されるサンプル画像の中から選択された撮影条件が付帯されたサンプル画像を前記ネットワークを介して前記電子カメラに返送する制御手段とを具備し、前記電子カメラは、表示装置と、前記サーバコンピュータとの間でデータの通信を実行する通信コントローラと、前記キー情報を前記通信コントローラを介して前記サーバコンピュータに送信し、この送信に応答して前記サーバコンピュータから返送される前記撮影条件が付帯されたサンプル画像を取得するサンプル画像取得部と、前記取得された前記撮影条件が付帯されたサンプル画像を複数格納するサンプル画像保持部と、前記サンプル画像保持部に格納されたサンプル画像を前記表示装置に表示して、前記表示された前記サンプル画像の中から選択されたサンプル画像に付帯する撮影条件に基づき、撮影条件の設定を実行する撮影条件設定手段とを具備することを特徴とする。
【０００８】
この発明の電子カメラにおいては、たとえばカメラの取り扱いに精通していないユーザが、動きの激しいスポーツ選手を被写体としたときに、この被写体の撮影に適した撮影条件の詳細な設定方法を知らなくとも、「スポーツ」といったキーワードなどのキー情報をサーバコンピュータに送信することにより、スポーツシーンを撮影した典型的な構図のサンプル画像を少なくとも１つ以上受け取り、この受け取ったサンプル画像の中から自分のイメージに合ったサンプル画像を選択するだけで、所望の撮影条件が簡単に設定できるようになる。
【０００９】
また、このサンプル用の画像を常時入手可能とすることにより、各電子カメラで多種多様なサンプル用の画像を管理する必要もない。
【００１０】
さらに、たとえばサーバコンピュータと電子カメラとの間にいわゆる携帯情報端末を介在させ、この携帯情報端末にサーバコンピュータとの通信を代替させることにより、各電子カメラに搭載する機能を削減することが可能となる。
【００１１】
【発明の実施の形態】
以下、図面を参照してこの発明の実施形態を説明する。
【００１２】
図１は、この発明の実施形態に係る電子カメラシステムの全体構成を示す図である。
【００１３】
図１に示すように、この電子カメラシステムは、サーバコンピュータ１と電子カメラ２とがインターネットＡおよび無線通信路を介して接続される。また、無線局Ｂは、一方で、サーバコンピュータ１とインターネットＡを介して通信するとともに、他方で、所定の地理的範囲にサービスエリアを形成し、このサービスエリア内に位置する電子カメラ２と無線通信路を介して通信することにより、サーバコンピュータ１と電子カメラ２との間の通信を仲介する。なお、ここでは、説明をわかりやすくするために、図１には無線局Ｂおよび電子カメラ２を１台のみ示したが、実際には、複数の無線局Ｂが形成するそれぞれのサービスエリア内で、１つまたは複数の電子カメラ２がインターネットＡを介してサーバコンピュータ１と接続される。
【００１４】
また、図２は、サーバコンピュータ１の内部構成を示す図である。
【００１５】
図２に示すように、このサーバコンピュータ１は、ＣＰＵ１１、システムメモリ１２、ハードディスク装置１３、ディスプレイコントローラ１４、キーボードコントローラ１５および通信コントローラ１６を備えている。
【００１６】
ＣＰＵ１１は、このサーバコンピュータ１全体の制御を司るものであり、システムメモリ１２に格納されたオペレーティングシステムやユーティリティを含む各種プログラムの記述に沿って動作する。システムメモリ１２は、このサーバコンピュータ１の主記憶となるメモリデバイスであり、ＣＰＵ１１の動作手順を記述したオペレーティングシステムやユーティリティを含む各種プログラムと、この各種プログラムに用いられ、あるいは各種プログラムにより作成された各種データとを格納する。つまり、このサーバコンピュータ１のすべての機能は、このシステムメモリ１２に格納された各種プログラムの記述に沿ってＣＰＵ１１が動作することにより実現されている。
【００１７】
ハードディスク装置１３は、このサーバコンピュータ１の外部記憶となるメモリデバイスであり、システムメモリ１２にロードされ、あるいはシステムメモリ１２からスワップされた各種プログラムや各種データを格納する。そして、このハードディスク装置１３に、電子カメラ２から送信されたキーワードに応じて返送される撮像条件設定用のサンプル画像が種々格納される。この撮像条件は、たとえばサンプル画像をＥｘｉｆ形式で格納する場合、各パラメータの設定値に所定のタグ番号（ex．露光時間：０ｘ８２９ａ）を付した形で保持される。また、このサンプル画像には、検索用の１つまたは複数のキーワードがそれぞれ設定されている。
【００１８】
ディスプレイコントローラ１４は、このサーバコンピュータ１におけるユーザインタフェースのアウトプットを司るものであり、ＣＰＵ１１が作成した表示データをＬＣＤなどの表示装置に表示制御する。一方、キーボードコントローラ１５は、このサーバコンピュータ１におけるユーザインタフェースのインプットを司るものであり、キーボードやマウスなどの操作をデータ化してＣＰＵ１１に引き渡す。
【００１９】
そして、通信コントローラ１６は、インターネットＡおよび無線通信路を介した電子カメラ２との間のデータ通信を実行するものであり、所定のプロトコルに基づき、電子カメラ２との接続やデータ授受を制御する。
【００２０】
このような構成をもつサーバコンピュータ１では、まず、電子カメラ２からのキーワードの送信を待機する。次に、送信されたキーワードとその一部またはすべてが合致するキーワードが設定されたサンプル画像をハードディスク装置１３から検索し、その検索したサンプル画像を電子カメラ２に返送する。このサンプル画像には、撮影時の撮影条件が付されており、このサンプル画像を受け取った電子カメラ２では、この撮影条件に基づいて、撮影条件の設定を自動的に実行する。つまり、カメラの取り扱いに精通していないユーザであっても、イメージ通りの画像を撮影するための撮影条件設定を簡単に設定できることになる。なお、これらの機能は、前述の通り、システムメモリ１２に格納された各種プログラムの記述に沿ってＣＰＵ１１が動作することにより実現される。
【００２１】
また、図３は、電子カメラ２の内部構成を示す図である。
【００２２】
図３において、被写体光は、レンズ２１を通過した後、絞り２２により光量が制御される。レンズ２１はＡＦモータ２３により駆動され、絞り２２は絞りモータ２４により駆動される。レンズ２１および絞り２２を通過した被写体光は、カラー固体撮像素子であるＣＣＤ２次元カラーイメージセンサ（以下、単にＣＣＤという）２５に入射し、これにより、ＣＣＤ２５の撮像面上に被写体像が結像される。
【００２３】
ＣＣＤ２５は、光電変換を行なう複数の画素を２次元のマトリクス状に配列して撮像面を構成し、さらに撮像面にカラーフィルタを配置したものであり、ＣＣＤドライバ２６によって駆動制御されることにより、撮像面に結像された被写体像に対応した信号電荷を蓄積する。この撮像面に蓄積された信号電荷は、画素信号と呼ばれる電気信号としてＣＣＤ２５から読み出される。
【００２４】
ＣＣＤ２５から読み出された画素信号は、Ａ／Ｄ変換器２７によりデジタル信号に変換された後、ＡＥ（自動露出）処理部２８、ＡＦ（自動焦点調整）処理部２９および画像処理部３０に入力される。
【００２５】
ＡＥ処理部２８では、Ａ／Ｄ変換器２７より出力されるデジタル化された画素信号を受け、各画素からの画素信号の累積加算を主体とする演算処理を行ない、この累積加算値に基づき被写体の明るさに応じたＡＥ評価値を求める。
【００２６】
ＡＦ処理部２９では、Ａ／Ｄ変換器２７より出力されるデジタル化された画素信号を受け、たとえば１画面分の画素信号の高周波成分をハイパスフィルタにより抽出し、これに対して累積加算等の演算処理を行なうことによって高域側の輪郭成分量に対応するＡＦ評価値を算出する。
【００２７】
画像処理部３０では、画素信号に対してＩＳＯ感度設定、オートホワイトバランス（ＡＷＢ）、輝度／色信号生成、ガンマ処理等が施されることにより、所定フォーマットのカラー画像信号が生成される。
【００２８】
この画像処理部３０によって生成されたカラー画像信号は、たとえばＤＲＡＭからなるバッファメモリ３１に一時的に記憶される。このバッファメモリ３１には圧縮／伸長処理部３４が接続され、圧縮／伸長処理部３４にはさらに記録／再生処理部３５が接続される。この圧縮／伸長処理部３４は、バッファメモリ３１に記憶された画像信号に圧縮（符号化）処理を施して記録媒体３６への記録に適した形態とするための圧縮処理部と、記録媒体３６に記録された画像データに伸長（復号化）処理を施す伸長処理部とからなる。この圧縮処理の方式としては、たとえばＪＰＥＧ方式が用いられるが、これに限られるものではない。また、再生時は、伸長処理された画像信号はバッファメモリ３１に一時記憶され、表示処理部２２を経てカラー液晶ディスプレイ２３で適宜表示される。
【００２９】
一方、記録／再生処理部３５は、記録媒体３６に対して画像データを記録したり、記録媒体３６から画像データを読み出す処理を行なう。記録媒体３６は、たとえばカード型フラッシュメモリのような半導体メモリにより構成されたメモリカードが一般的に使用されるが、メモリカードに限られるものではなく、たとえばハードディスクやフロッピーディスクのような磁気記録媒体等、種々の形態のものを使用できる。
【００３０】
通信コントローラ３７は、インターネットＡおよび無線通信路を介したサーバコンピュータ１との間のデータ通信を実行するものであり、所定のプロトコルに基づき、サーバコンピュータ１との接続やデータ授受を制御する。
【００３１】
以上の動作は、すべてシステムコントローラ３８によりその制御が司られ、システムコントローラ３８は、ＡＥ処理部２８およびＡＦ処理部２９の処理結果と操作部３９からの指令に基づいて各部を制御する。具体的には、システムコントローラ３８は画像処理部３０、バッファメモリ３１、表示処理部３２、圧縮／伸長処理部３４、記録／再生処理部３５、通信コントローラ３７、ＡＦモータ２３および絞りモータ２４を駆動するモータドライバ４０，４１の制御を行なう。
【００３２】
すなわち、システムコントローラ３８は、ＡＥ処理部２８で得られたＡＥ評価値に基づいてモータドライバ４１を制御し、絞りモータ２４を介して絞り２２を制御することで光量を制御したり、さらにはＣＣＤドライバ２６を介してＣＣＤ２５の電荷蓄積時間を制御することにより、自動露出（ＡＥ）処理を行なう。また、システムコントローラ３８は、ＡＦ処理部２９で得られたＡＦ評価値に基づいてモータドライバ４０を制御し、ＡＦモータ２３を介して撮像レンズ２１を光軸方向に移動させて自動焦点調整（ＡＦ）処理を行なう。
【００３３】
操作部３９は、カメラのユーザによる操作に基づき、各種の動作を行なわせるための指令信号を発生してシステムコントローラ３８に伝達する。具体的には、撮影指示のためのレリーズスイッチや、この電子カメラの動作モードを指示するためのモードスイッチ、各モードでの詳細な設定を指示するための十字キーなどの操作に応じた指令信号を発生させる。
【００３４】
また、システムコントローラ３８は、前述した各種の制御のほか、たとえばキーワードの送信に応じてサーバコンピュータ１から返送される撮影条件付きのサンプル画像を用いてカメラの撮影条件を設定するといった、この発明に特有の撮影条件設定制御を行なう機能を有する。以下、この撮影条件設定制御について詳説する。
【００３５】
この撮影条件設定制御を行なうために、システムコントローラ３８は、サンプル画像取得部４２と撮影条件設定部４３とを備えている。また、このために、カメラ本体内には、サンプル画像を格納するためのサンプル画像保持部４４が設けられる。
【００３６】
サンプル画像取得部４２は、まず、キーワード入力用の入力画面をカラー液晶ディスプレイ（ＬＣＤ）３３に表示し、操作部３９によりキーワードを入力させる。次に、ここで入力されたキーワードを通信コントローラ３７を介してサーバコンピュータ１に送信し、この送信に応答してサーバコンピュータ１から返送されるサンプル画像をサンプル画像保持部４４に格納する。
【００３７】
一方、撮影条件設定部４３は、このサンプル画像保持部４４に格納されたサンプル画像をカラー液晶ディスプレイ（ＬＣＤ）３３に一覧表示するとともに、この一覧表示に応答して操作部３９からいずれかのサンプル画像の選択指示がされたときに、そのサンプル画像に付帯する撮影条件に基づき、撮影条件の設定を実行する。
【００３８】
たとえば、いま、電子カメラ２のユーザが、何らかのスポーツ観戦中にその選手を撮影しようとしていると想定する。そこで、ユーザは、「スポーツ」というキーワードを入力したする。一方、サーバコンピュータ１では、「スポーツ」というキーワード、あるいは「スポーツ」と部分的に合致するキーワードが設定された、たとえば図４および図５のようなサンプル画像をハードディスク装置１３に格納しているものと想定する。図４および図５は、高速で移動するスポーツ選手を撮影したものであり、図４は、シャッタースピードを遅くし、また、被写界深度をなるべく大きくするため絞りを小さくして、被写体を流れるように撮影したサンプル画像であり、図５は、シャッタースピードを速く、また、被写界深度をなるべく大きくするため絞りを小さく、そして、光量低下を補うために、その分ＩＳＯ感度を高めに設定して、被写体を止めるように撮影したサンプル画像である。
【００３９】
そして、この「スポーツ」というキーワードを受信したサーバコンピュータ１では、複数のサンプル画像の中からこの２つのサンプル画像を選出し、電子カメラ２に返送する。
【００４０】
一方、電子カメラ２では、まず、この返送されたサンプル画像をサンプル画像保持部４４に格納した後、カラー液晶ディスプレイ（ＬＣＤ）３３に一覧表示する。また、ユーザは、この一覧表示されたサンプル画像の中にいまから自分が撮影しようとするイメージと合致するサンプル画像があれば、そのサンプル画像を選択する。そして、電子カメラ２は、この選択されたサンプル画像に付帯する撮影条件に基づき、撮影条件の設定を実行する。
【００４１】
したがって、たとえば図４や図５のようなイメージの画像を撮影する場合、どのように撮影条件を設定すれば良いかを知らなくとも、ユーザは、キーワードによってサンプル画像を入手するだけで、所望の撮影を行うことが可能となる。また、このサンプル画像は常時入手可能であるため、サンプル画像保持部４４が確保すべきメモリ容量もごくわずかで済み、サンプル画像のバックアップ等をユーザ自らが管理しておく必要もない。
【００４２】
次に、図６乃至図８を参照して、この電子カメラシステムの動作手順について説明する。図６は、サーバコンピュータ１の動作手順を説明するためのフローチャートである。
【００４３】
サーバコンピュータ１は、まず、電子カメラ２が送信するキーワードの受信を待機する（ステップＡ１）。そして、このキーワードを受信すると（ステップＡ２のＹＥＳ）、この受信したキーワードとほぼ合致するキーワードが設定されたサンプル画像をハードディスク装置１３から検索し（ステップＡ３）、その検索したサンプル画像を電子カメラ２に返送する（ステップＡ４）。
【００４４】
また、図７および図８は、電子カメラ２の動作手順を説明するためのフローチャートである。
【００４５】
電子カメラ２は、まず、キーワード入力用の入力画面を表示してユーザにキーワードを入力させ（図７のステップＢ１）、ここで入力されたキーワードをサーバコンピュータ１に送信する（図７のステップＢ２）。そして、この送信に応答するサンプル画像の返送を待機し（図７のステップＢ３）、サンプル画像が返送されてきたら（図７のステップＢ３のＹＥＳ）、このサンプル画像をサンプル画像保持部４４に格納する（図７のステップＢ４）。
【００４６】
また、電子カメラ２は、このサンプル画像保持部４４に格納されたサンプル画像を一覧表示し（図８のステップＣ１）、この一覧表示したサンプル画像の中から所望のサンプル画像をユーザに選択させる（図８のステップＣ２）。そして、このとき選択されたサンプル画像に付帯する撮影条件に基づき、撮影条件の設定を実行する（図８のステップＣ３）。
【００４７】
以上のように、この電子カメラシステムでは、サーバコンピュータ１が、電子カメラ２から送信されるキー情報に合致する撮影条件付きのサンプル画像を少なくとも１つ以上返送し、電子カメラ２のユーザが、自分の送信したキー情報に応答して返送されたサンプル画像に付帯する撮影条件に基づいて撮影条件の設定を行えるようになる。
【００４８】
なお、ここでは、電子カメラ２にサーバコンピュータ１とのデータ通信機能を搭載する例を示したが、たとえばサーバコンピュータ１と電子カメラ２との間にいわゆる携帯情報端末を介在させ、この携帯情報端末にデータ通信機能を代替させて、この携帯情報端末から電子カメラ２に対してサンプル画像、あるいはこのサンプル画像に付帯する撮影条件のみを送信させるようにさせても良い。この場合には、電子カメラ２に常備させる機能を削減することが可能となる。
【００４９】
また、通信手段は、前述したインターネットに限られるものではなく、たとえば専用回線などを介して通信しても良い。
【００５０】
また、ここでは、キーワードを送信することにより撮影条件付きのサンプル画像を入手する例を示したが、これに限らず、たとえばその時の時刻や位置情報により大量のサンプル画像から適正な数まで絞り込めるようにしておけば、時刻や位置情報を送信することにより撮影条件付きのサンプル画像を入手することも可能となる。さらに、予め各サンプル画像を特定するための識別番号を公開しておけば、その識別番号を送信するのみでいつでもどこでもそのサンプル画像を入手し撮影条件の設定を行えることになる。
【００５１】
【発明の効果】
以上、詳述したように、この発明の電子カメラシステムによれば、サーバコンピュータが、各電子カメラから送信されるキー情報に合致する撮影条件付きのサンプル画像をそれぞれの電子カメラに返送し、電子カメラのユーザが、自分の送信したキー情報に応答して返送されたサンプル画像に付帯する撮影条件に基づいて撮影条件の設定を行えるようにしたため、たとえばカメラの取り扱いに精通していないユーザが、動きの激しいスポーツ選手を被写体としたときに、この被写体の撮影に適した撮影条件の詳細な設定方法を知らなくとも、「スポーツ」といったキーワードなどのキー情報をサーバコンピュータに送信することにより、スポーツシーンを撮影した典型的な構図のサンプル画像を少なくとも１つ以上受け取り、この受け取ったサンプル画像の中から自分のイメージに合ったサンプル画像を選択するだけで、所望の撮影条件が簡単に設定できるようになる。
【００５２】
また、このサンプル用の画像を常時入手可能とすることにより、各電子カメラで多種多様なサンプル用の画像を管理する必要もない。
【００５３】
さらに、たとえばサーバコンピュータと電子カメラとの間にいわゆる携帯情報端末を介在させ、この携帯情報端末にサーバコンピュータとの通信を代替させることにより、各電子カメラに搭載する機能を削減することが可能となる。
【図面の簡単な説明】
【図１】この発明の実施形態に係る電子カメラシステムの全体構成を示す図。
【図２】同実施形態のサーバコンピュータの内部構成を示す図。
【図３】同実施形態の電子カメラの内部構成を示す図。
【図４】同実施形態の電子カメラシステムで利用される撮影条件設定用のサンプル画像を例示する第１の図。
【図５】同実施形態の電子カメラシステムで利用される撮影条件設定用のサンプル画像を例示する第２の図。
【図６】同実施形態の電子カメラシステムにおけるサーバコンピュータの動作手順を説明するためのフローチャート。
【図７】同実施形態の電子カメラシステムにおける電子カメラの動作手順を説明するための第１のフローチャート。
【図８】同実施形態の電子カメラシステムにおける電子カメラの動作手順を説明するための第２のフローチャート。
【符号の説明】
１…サーバコンピュータ
２…電子カメラ
１１…ＣＰＵ
１２…システムメモリ
１３…ハードディスク装置
１４…ディスプレイコントローラ
１５…キーボードコントローラ
１６…通信コントローラ
２１…レンズ
２２…絞り
２３…ＡＦモータ
２４…絞りモータ
２５…ＣＣＤ２次元カラーイメージセンサ（ＣＣＤ）
２６…ＣＣＤドライバ
２７…Ａ／Ｄ変換器
２８…ＡＥ処理部
２９…ＡＦ処理部
３０…画像処理部
３１…バッファメモリ
３２…表示処理部
３３…カラー液晶ディスプレイ（ＬＣＤ）
３４…圧縮／伸長部
３５…記録再生処理部
３６…記録媒体
３７…通信コントローラ
３８…システムコントローラ
３９…操作部
４０，４１…モータドライバ
４２…サンプル画像取得部
４３…撮影条件設定部
４４…サンプル画像保持部
Ａ…インターネット
Ｂ…無線局
【図１】
0004499275.tif 000002
【図２】
0004499275.tif 000003
【図３】
0004499275.tif 000004
【図４】
0004499275.tif 000005
【図５】
0004499275.tif 000006
【図６】
0004499275.tif 000007
【図７】
0004499275.tif 000008
【図８】
0004499275.tif 000009